(57)【要約】【課題】主熱源部の加熱性能を低めに抑えて設備コストの削減や省エネルギー化を図りつつ、給湯需要の急増や主熱源部の加熱能力不足等が発生する状況であっても、できるだけ所望の目標循環温度近傍に維持された湯水を湯水循環路に循環させて当該湯水を給湯部に供給することができる技術を提供する。【解決手段】主熱源部４０で加熱された湯水ＨＷを貯留する貯湯槽４１と、貯湯槽４１と給湯先１０との間で湯水ＨＷを循環させる湯水循環路３０と、給湯先１０において湯水循環路３０の分岐部２４ａから分流させた湯水ＨＷを給湯部１１に導く分岐給湯路２４と、を備えた給湯システムであって、給湯先１０において湯水循環路３０の分岐部２４ａよりも上流側の湯水を加熱可能な補助加熱手段２０を備える。【選択図】図１
2020134063.tif 000002
【特許請求の範囲】
【請求項１】
主熱源部で加熱された湯水を貯留する貯湯槽と、
前記貯湯槽と給湯先との間で湯水を循環させる湯水循環路と、
前記給湯先において前記湯水循環路の分岐部から分流させた湯水を給湯部に導く分岐給湯路と、を備えた給湯システムであって、
前記給湯先において前記湯水循環路の前記分岐部よりも上流側の湯水を加熱可能な補助加熱手段を備えた給湯システム。
【請求項２】
前記給湯先における前記湯水循環路が、並列状態で接続された主循環路と補助加熱用循環路とを有して構成され、
前記補助加熱手段が、前記補助加熱用循環路の湯水を加熱可能に構成されている請求項１に記載の給湯システム。
【請求項３】
前記補助加熱手段として、通過する湯水に対して蓄熱及び放熱を行う蓄熱部を備えた請求項１又は２に記載の給湯システム。
【請求項４】
前記補助加熱手段として、通過する湯水を加熱する瞬間湯沸し部を備えた請求項１〜３の何れか１項に記載の給湯システム。
【請求項５】
前記補助加熱手段として、通過する湯水に対して蓄熱及び放熱を行う蓄熱部と、通過する湯水を加熱する瞬間湯沸し部と、を備え、
前記蓄熱部を通過した湯水温度の低下時に前記瞬間湯沸し部が作動して湯水を加熱する請求項１〜４の何れか１項に記載の給湯システム。
【請求項６】
前記蓄熱部と前記瞬間湯沸し部とを、並列状態で備えると共に、
湯水の供給先を前記蓄熱部と前記瞬間湯沸し部との間で切り替える切替部を備え、
前記給湯先での湯水状態に基づいて前記切替部の作動を制御する制御部を備えた請求項５に記載の給湯システム。
【請求項７】
前記給湯先において、前記湯水循環路での湯水温度を前記湯水状態として検出する湯水温度検出部を備え、
前記制御部が、前記湯水温度検出手段で検出された湯水温度が設定切替温度未満である低温状態である場合には、前記切替部による湯水の供給先を前記瞬間湯沸し部に切り替えると共に、前記湯水温度検出手段で検出された湯水温度が前記設定切替温度以上である高温状態である場合には、前記切替部による湯水の供給先を前記蓄熱部に切り替える切替制御を実行する請求項６に記載の給湯システム。
【請求項８】
前記給湯先において、前記給湯部への水流の有無を前記湯水状態として検出する水流検出部を備え、
前記制御部が、前記水流検出部で水流が有ると検出されている給湯時には、前記切替部による湯水の供給先を優先的に前記瞬間湯沸し部に切り替える給湯加熱制御を実行する請求項７に記載の給湯システム。
【発明の詳細な説明】
【技術分野】
【０００１】
本発明は、主熱源部で加熱された湯水を給湯先の給湯部に供給する給湯システムに関する。
【背景技術】
【０００２】
従来、ボイラなどの主熱源部で加熱されて貯湯槽に貯留された湯水を湯水循環路により当該貯湯槽と給湯先との間で循環させながら、当該給湯先において分岐給湯路を通じて湯水循環路の分岐部から分流させた湯水を給湯部に供給する給湯システムが知られている（例えば、特許文献１の段落０００２及び図２等を参照。）。
このような給湯システムは、例えば複数の給湯先に対して共通の主熱源部で加熱された湯水を供給することができる上に、当該給湯先において瞬時に湯水循環路から予め加熱された湯水を出水させることができる。
【先行技術文献】
【特許文献】
【０００３】
【特許文献１】特開平８−２８９５５号公報
【発明の概要】
【発明が解決しようとする課題】
【０００４】
上記特許文献１等に記載の従来の給湯システムでは、給湯先での給湯需要が急増した場合でも、各給湯先へ供給される湯水の温度を所望の目標循環温度以上に維持するためには、想定される最大の給湯需要に見合った加熱能力を有する主熱源部が必要であったため、設備コストやエネルギー消費量が嵩むという問題があった。
この実情に鑑み、本発明の主たる課題は、主熱源部の加熱性能を低めに抑えて設備コストの削減や省エネルギー化を図りつつ、給湯需要の急増や主熱源部の加熱能力不足等が発生する状況であっても、できるだけ所望の目標循環温度近傍に維持された湯水を湯水循環路に循環させて当該湯水を給湯部に供給することができる技術を提供する点にある。
【課題を解決するための手段】
【０００５】
本発明の第１特徴構成は、主熱源部で加熱された湯水を貯留する貯湯槽と、
前記貯湯槽と給湯先との間で湯水を循環させる湯水循環路と、
前記給湯先において前記湯水循環路の分岐部から分流させた湯水を給湯部に導く分岐給湯路と、を備えた給湯システムであって、
前記給湯先において前記湯水循環路の前記分岐部よりも上流側の湯水を加熱可能な補助加熱手段を備えた点にある。
【０００６】
本構成によれば、主熱源部で加熱されて貯湯槽に貯留された湯水を湯水循環路により当該貯湯槽と給湯先との間で循環させながら、当該給湯先において分岐給湯路を通じて湯水循環路の分岐部から分流させた湯水を給湯栓等の給湯部に供給する給湯システムが構成される。そして、このような給湯システムにおいて、給湯需要の急増や主熱源部の加熱能力不足等に起因して貯湯槽での湯水温度が所望の目標循環温度を下回る状況となった場合でも、上記給湯先に設けられた補助加熱手段を作動させることによって、湯水循環路を循環する湯水の一部又は全部を加熱することができるので、湯水循環路での湯水温度をできるだけ所望の目標循環温度近傍に維持することができる。
従って、本発明により、主熱源部の加熱性能を低めに抑えて設備コストの削減や省エネルギー化を図りつつ、給湯需要の急増や主熱源部の加熱能力不足等が発生する状況であっても、できるだけ所望の目標循環温度近傍に維持された湯水を湯水循環路に循環させて当該湯水を給湯部に供給することができる技術を提供することができる。
【０００７】
本発明の第２特徴構成は、前記給湯先における前記湯水循環路が、並列状態で接続された主循環路と補助加熱用循環路とを有して構成され、
前記補助加熱手段が、前記補助加熱用循環路の湯水を加熱可能に構成されている点にある。
【０００８】
本構成によれば、給湯先において、湯水循環路を循環する湯水の一部を補助加熱用循環路に分流させ、その補助加熱用循環路において補助加熱手段で加熱された湯水を、主循環路を通過した湯水に合流させることができる。よって、補助加熱手段の加熱対象を、湯水循環路を循環する湯水の一部に制限することで、当該補助加熱手段の加熱性能の過大化を抑制しながら、湯水循環路を循環する湯水を補助加熱手段で加熱された湯水を合流させることで昇温することができる。
【０００９】
本発明の第３特徴構成は、前記補助加熱手段として、通過する湯水に対して蓄熱及び放熱を行う蓄熱部を備えた点にある。
【００１０】
本構成によれば、給湯先に補助加熱手段として潜熱方式等の蓄熱部が設けられているので、例えば給湯需要が小さい場合や給湯需要に対して主熱源部の加熱能力が十分に大きい場合において、湯水循環路を循環する湯水温度が例えば設定蓄熱温度以上の比較的高温である間には、当該湯水の熱を当該蓄熱部に蓄熱することができる。一方、例えば給湯需要の急増や主熱源部の加熱能力不足等に起因して、湯水循環路を循環する湯水温度が例えば設定蓄熱温度未満の比較的低温となる間には、予め蓄熱部に蓄熱した熱を当該湯水に放熱させて、湯水循環路での湯水温度をできるだけ目標循環温度近傍に維持することができる。
【００１１】
本発明の第４特徴構成は、前記補助加熱手段として、通過する湯水を加熱する瞬間湯沸し部を備えた点にある。
【００１２】
本構成によれば、給湯先に補助加熱手段として瞬間湯沸し部が設けられているので、例えば給湯需要の急増や主熱源部の加熱能力不足等に起因して、湯水循環路を循環する湯水温度が例えば目標循環温度未満の比較的低温となる間には、瞬間湯沸し部で湯水循環路を循環する湯水を加熱して、湯水循環路での湯水温度をできるだけ目標循環温度近傍に維持することができる。また、その給湯先において、瞬間湯沸し部を通過した湯水が給湯部に供給される構成を採用すれば、給湯部への給湯時に当該瞬間湯沸し部が適時作動することで、給湯部に対して常に例えば設定給湯温度に加熱した湯水を供給することができる。
【００１３】
本発明の第５特徴構成は、前記補助加熱手段として、通過する湯水に対して蓄熱及び放熱を行う蓄熱部と、通過する湯水を加熱する瞬間湯沸し部と、を備え、
前記蓄熱部を通過した湯水温度の低下時に前記瞬間湯沸し部が作動して湯水を加熱する点にある。
【００１４】
本構成によれば、給湯先に補助加熱手段として蓄熱部と瞬間湯沸し部とが設けられているので、給湯需要の急増や主熱源部の加熱能力不足等に起因して、湯水循環路を循環する湯水温度が比較的低温となる間には、予め蓄熱部に蓄熱した熱を当該湯水に放熱させて湯水循環路を循環する湯水を加熱し、更に蓄熱部の蓄熱量不足に起因して当該蓄熱部を通過した湯水温度の低下時には、瞬間湯沸し部で湯水循環路を循環する湯水を加熱して、湯水循環路での湯水温度をできるだけ目標循環温度近傍に維持することができる。
【００１５】
本発明の第６特徴構成は、上記第５特徴構成に加えて、前記蓄熱部と前記瞬間湯沸し部とを、並列状態で備えると共に、
湯水の供給先を前記蓄熱部と前記瞬間湯沸し部との間で切り替える切替部を備え、
前記給湯先での湯水状態に基づいて前記切替部の作動を制御する制御部を備えた点にある。
【００１６】
本構成によれば、給湯先に補助加熱手段として並列状態で接続された蓄熱部と瞬間湯沸し部とが設けられているので、給湯需要の急増や主熱源部の加熱能力不足等に起因して、湯水循環路を循環する湯水温度が比較的低温となる間には、予め蓄熱部に蓄熱した熱を当該湯水に放熱させて、又は瞬間湯沸し部で湯水循環路を循環する湯水を加熱して、湯水循環路での湯水温度をできるだけ目標循環温度近傍に維持することができる。更に、制御部が、給湯先での湯水状態に基づいて、湯水の供給先を蓄熱部と瞬間湯沸し部との間で切り替える切替部の作動を制御するので、例えば蓄熱部の蓄熱量の不足時や給湯時においては、切替部による湯水の供給先を瞬間湯沸し部に切り替えて、当該瞬間湯沸し部により湯水を強制的に加熱することで、湯水循環路の湯水温度をできるだけ目標循環温度近傍に維持することができる。
【００１７】
本発明の第７特徴構成は、上記第６特徴構成に加えて、前記給湯先において、前記湯水循環路での湯水温度を前記湯水状態として検出する湯水温度検出部を備え、
前記制御部が、前記湯水温度検出手段で検出された湯水温度が設定切替温度未満である低温状態である場合には、前記切替部による湯水の供給先を前記瞬間湯沸し部に切り替えると共に、前記湯水温度検出手段で検出された湯水温度が前記設定切替温度以上である高温状態である場合には、前記切替部による湯水の供給先を前記蓄熱部に切り替える切替制御を実行する点にある。
【００１８】
本構成によれば、上記制御部が上記切替制御を実行することで、上記低温状態である場合には、湯水の供給先が自動的に瞬間湯沸し部に切り替わる。このことで、当該瞬間湯沸し部により湯水が強制的に加熱されるので、湯水循環路での湯水温度をできるだけ目標循環温度近傍に維持することができる。一方、上記高温状態である場合には、湯水の供給先が自動的に蓄熱部に切り替わる。このことで、湯水循環路を循環する湯水に対して蓄熱部から適時蓄熱又は放熱が行われるので、貯湯槽での湯水温度が目標循環温度を下回る状況となった場合でも、湯水循環路での湯水温度をできるだけ目標循環温度近傍に維持することができる。
【００１９】
本発明の第８特徴構成は、上記第７特徴構成に加えて、前記給湯先において、前記給湯部への水流の有無を前記湯水状態として検出する水流検出部を備え、
前記制御部が、前記水流検出部で水流が有ると検出されている給湯時には、前記切替部による湯水の供給先を優先的に前記瞬間湯沸し部に切り替える給湯加熱制御を実行する点にある。
【００２０】
本構成によれば、上記制御手段が上記給湯加熱制御を実行することで、上記給湯時には、湯水循環路での湯水温度に拘らず、湯水の供給先が優先的に瞬間湯沸し部に切り替わる。このことで、給湯時に当該瞬間湯沸し部が適時作動することで、給湯部に対して常に例えば設定給湯温度に加熱した湯水を供給することができる。
【図面の簡単な説明】
【００２１】
【図１】給湯システム全体の概略構成を示すブロック図
【図２】給湯システムにおける低温状態（非給湯時）での湯水の通流経路を示す図
【図３】給湯システムにおける高温状態（非給湯時）での湯水の通流経路を示す図
【図４】給湯システムにおける給湯時での湯水の通流経路を示す図
【発明を実施するための形態】
【００２２】
本発明に係る給湯システムの実施形態について図面に基づいて説明する。
図１に示す給湯システム（以下、本給湯システムと呼ぶ。）は、ホテル等の施設において、ボイラ４０（主熱源部の一例）で加熱された湯水ＨＷを、客室等の給湯先１０の給湯栓１１（給湯部の一例）に供給するものとして構成されている。
更に、ボイラ４０で加熱された湯水ＨＷを貯留する貯湯槽４１と、貯湯槽４１と給湯先１０との間で湯水ＨＷを循環させる湯水循環路３０と、給湯先１０において湯水循環路３０の分岐部２４ａから分流させた湯水ＨＷを給湯栓１１（給湯部の一例）に導く分岐給湯路２４とが設けられている。
【００２３】
即ち、湯水循環路３０に設けられた循環ポンプ４２を作動させることにより、貯湯槽４１に貯留された湯水ＨＷが、湯水循環路３０を通じて当該貯湯槽４１と給湯先１０との間で循環する。そして、このように湯水循環路３０を通じて循環する湯水ＨＷの一部が、給湯先１０において分岐部２４ａから分岐給湯路２４に分流して、当該分岐給湯路２４を通じて給湯栓１１に供給される。このような本給湯システムによれば、例えば複数の給湯先１０に対して共通のボイラ４０で加熱された湯水ＨＷを供給することができる。加えて、給湯先１０において瞬時に湯水循環路３０から予め加熱された湯水ＨＷを出水させることができる。
【００２４】
尚、給湯先１０における給湯栓１１の設置個数や設置箇所については適宜設定することができる。例えば、一又は複数の客室を一の給湯先１０とし、当該給湯先１０内に配置される複数の給湯栓１１に対して、共通の分岐部２４ａ及び分岐給湯路２４を通じて湯水ＨＷを分配供給するように構成しても構わない。
【００２５】
また、貯湯槽４１は、上部に高温の湯水ＨＷが滞留する高温層を形成すると共にその高温層の下部に低温の湯水ＨＷが滞留する形態で湯水ＨＷを貯留する所謂温度成層型に構成されている。即ち、循環ポンプ４２を作動することにより、貯湯槽４１の上部から高温層の湯水ＨＷが取り出されて湯水循環路３０を循環し、当該湯水循環路３０を通流して温度低下した湯水ＨＷが貯湯槽４１の下部に戻される。同様に、貯湯ポンプ４５が作動することにより、貯湯槽４１の下部から取り出した湯水ＨＷが貯湯循環路４６を通じてボイラ４０に供給されて加熱され、当該加熱された湯水ＨＷが貯湯循環路４６を通じて貯湯槽４１の頂部に戻される。更に、貯湯槽４１及び湯水循環路３０内の湯水ＨＷが給湯先１０にて消費されて少なくなると、それに伴って、給水路４７を通じて貯湯槽４１の下部に冷温の給水ＣＷが補充されることになる。
【００２６】
更に、本給湯システムは、設備コストの削減や省エネルギー化を図りつつ、できるだけ所望の目標循環温度（例えば５５℃以上）近傍に維持された湯水ＨＷを給湯先１０の給湯栓１１に供給するための特徴構成を採用している。以下に、その詳細について説明を加える。
【００２７】
給湯先１０には、湯水循環路３０の分岐部２４ａよりも上流側の湯水ＨＷを加熱可能な補助加熱手段２０が設けられている。詳細については後述するが、この補助加熱手段２０は、給湯先１０での湯水ＨＷの消費量等の給湯需要の急増やボイラ４０の加熱能力不足等に起因して貯湯槽４１での湯水ＨＷの温度が所望の目標循環温度を下回る状況となった場合に作動して、湯水循環路３０の分岐部２４ａよりも上流側の湯水ＨＷを加熱する。すると、湯水循環路３０を循環する湯水ＨＷの一部又は全部が補助加熱手段２０によって加熱されることで、湯水循環路３０での湯水ＨＷの温度ができるだけ所望の目標循環温度近傍に維持される。このことで、ボイラ４０の加熱性能を低めに抑えて、設備コストの削減や省エネルギー化を図りながら、常に適温に保たれた湯水ＨＷを給湯栓１１に供給することができる。
【００２８】
給湯先１０において、湯水循環路３０は、主循環路３１と補助加熱用循環路３２とを並列状態で接続して構成されている。そして、上記補助加熱手段２０は、補助加熱用循環路３２に設置されており、当該補助加熱用循環路３２を通流する湯水ＨＷを加熱可能に構成されている。
このような構成により、給湯先１０では、湯水循環路３０を循環する湯水ＨＷが、主循環路３１と補助加熱用循環路３２とに分配される。すると、湯水循環路３０を循環する湯水ＨＷの一部が、補助加熱用循環路３２を通流して補助加熱手段２０により加熱された後に、主循環路３１を通過した湯水ＨＷに合流する形態で、湯水循環路３０を通流することになる。
即ち、補助加熱用循環路３２を通流して補助加熱手段２０の加熱対象となる湯水ＨＷが、湯水循環路３０を循環する湯水ＨＷの一部に制限されている。このことで、当該補助加熱手段２０の加熱性能の過大化を抑制することができる。更には、湯水循環路３０を循環する湯水ＨＷを、補助加熱手段２０で加熱された湯水ＨＷと合流させる形態で昇温することができる。
【００２９】
本実施形態では、一の主循環路３１に対して複数の給湯先１０が並列状態で配置されており、その並列状態で配置された複数の給湯先１０が湯水循環路３０での流れ方向に沿って直列状態で配置されている。
並列状態で配置された複数の給湯先１０では、夫々に設置された複数の補助加熱用循環路３２が一の主循環路３１に並列接続されている。詳しくは、主循環路３１の上流部に位置する分配部３０ａに接続された分配路２６と、主循環路３１の下流部に位置する合流部３０ｂに接続された合流路２７とが設けられており、これら分配路２６と合流路２７との間に亘らせる状態で、２以上の補助加熱用循環路３２が並列配置されている。そして、これら２以上の補助加熱用循環路３２の夫々に、補助加熱手段２０が設置されている。また、夫々の補助加熱用循環路３２における補助加熱手段２０の下流側には、下流側に給湯栓１１に通じる分岐給湯路２４が接続された分岐部２４ａと、湯水ＨＷの通流を断続可能な開閉弁２９が設けられている。
尚、この一の主循環路３１に対する補助加熱用循環路３２及び補助加熱手段２０の設置数等については適宜変更可能である。
【００３０】
給湯先１０の補助加熱用循環路３２には、上記補助加熱手段２０として、蓄熱装置２１（蓄熱部の一例）と瞬間湯沸し器２２（瞬間湯沸し部の一例）とが並列状態で設置されている。更に、それらの分岐部分には、補助加熱用循環路３２における湯水ＨＷの供給先を、蓄熱装置２１側と瞬間湯沸し器２２側との間で切り替える三方切替弁１３（切替部の一例）が設けられている。また、給湯先１０には、上記三方切替弁１３の作動を制御するコントローラ１８（制御部の一例）が設けられている。
更に、給湯先１０には、湯水循環路３０での湯水ＨＷの温度を検出する温度センサ１５（湯水温度検出部の一例）と、給湯栓１１への水流の有無を検出する水流センサ１６（水流検出部の一例）とが設けられている。これら温度センサ１５で検出された湯水ＨＷの及び水流センサ１６で検出された給湯栓１１への水流の有無に関する情報は、給湯先１０での湯水ＨＷの状態として、コントローラ１８に入力される。
【００３１】
上記補助加熱手段２０として設けられた蓄熱装置２１は、蓄熱材の相変態時の潜熱を利用して、通過する湯水ＨＷに対して蓄熱及び放熱を行う潜熱方式の蓄熱部として構成されている。即ち、蓄熱装置２１を通過する湯水ＨＷの温度が例えば蓄熱装置２１が有する蓄熱材の相変態温度である設定蓄熱温度（例えば５７℃〜６０℃）以上の比較的高温である間には、当該湯水ＨＷの熱が蓄熱装置２１に蓄熱される。一方、蓄熱装置２１を通過する湯水ＨＷの温度が例えば上記設定蓄熱温度未満の比較的低温となる間には、当該湯水ＨＷに対して予め蓄熱装置２１に蓄熱された熱が放熱されて、当該湯水ＨＷが加熱される。
尚、本実施形態では、蓄熱装置２１を潜熱方式に構成したが、物質の比熱を利用した顕熱方式や、化学反応時の吸熱・発熱を利用した化学方式の蓄熱部として構成することもできる。
【００３２】
上記補助加熱手段２０として設けられた瞬間湯沸し器２２は、電気ヒータを利用して、通過する湯水ＨＷを任意に設定される所望の設定給湯温度（例えば５５℃）に加熱する電気式の瞬間湯沸し部として構成されている。即ち、瞬間湯沸し器２２を通過する湯水ＨＷの温度が例えば上記設定給湯温度以上の比較的高温である間には、瞬間湯沸し器２２が停止して、当該湯水ＨＷがそのままの状態で通過する。一方、瞬間湯沸し器２２を通過する湯水ＨＷの温度が例えば上記設定給湯温度未満の比較的低温となる間には、瞬間湯沸し器２２が作動して、当該湯水ＨＷが瞬間湯沸し器２２により設定給湯温度に加熱される。
尚、本実施形態では、瞬間湯沸し器２２を電気式に構成したが、ガスを燃焼させて加熱を行うガス式の瞬間湯沸し部として構成することもできる。
【００３３】
コントローラ１８は、温度センサ１５及び水流センサ１６からの入力情報から識別される給湯先１０での湯水ＨＷの状態に基づいて、三方切替弁１３、開閉弁２９、及び瞬間湯沸し器２２等の作動を制御する形態で、切替制御や給湯加熱制御を実行するように構成されている。以下、かかる切替制御及び給湯加熱制御の詳細について、図２〜図４に基づいて説明を加える。尚、図２〜図４において、太線で表した経路は湯水ＨＷが通流している経路を示しており、細線で表した経路は湯水ＨＷが通流していない経路を示している。また、図２〜図４において、閉弁状態にある弁は黒塗りで表し、開弁状態にある弁は白抜きで表している。
【００３４】
〔切替制御〕
コントローラ１８は、水流センサ１６により給湯栓１１への水流が検出されていない間の非給湯時において、開閉弁２９を開弁させて補助加熱用循環路３２を通流した湯水ＨＷが合流路２７を介して主循環路３１側に合流させる状態とした上で、切替制御を実行する。
上記切替制御では、例えば給湯需要の急増やボイラ４０の加熱能力不足等に起因して、温度センサ１５で検出された湯水ＨＷの温度が設定切替温度（例えば５５℃）未満となる低温状態である場合に、図２に示すように、三方切替弁１３による湯水ＨＷの供給先が瞬間湯沸し器２２に切り替えられる。すると、湯水循環路３０を循環する比較的低温の湯水ＨＷの一部が、補助加熱用循環路３２及び三方切替弁１３を通じて瞬間湯沸し器２２を通過することになる。すると、上述したように瞬間湯沸し器２２を通過する湯水ＨＷの温度が例えば設定給湯温度（例えば５５℃）未満の比較的低温である間には、瞬間湯沸し器２２が作動して、当該湯水ＨＷが瞬間湯沸し器２２により強制的に設定給湯温度に加熱される。このことで、湯水循環路３０での湯水ＨＷの温度低下が抑制されることになって、当該湯水ＨＷの温度をできるだけ所望の目標循環温度近傍に維持することができる。
【００３５】
上記切替制御では、例えば給湯需要が小さい場合や給湯需要に対してボイラ４０の加熱能力が十分に大きいことに起因して、温度センサ１５で検出された湯水ＨＷの温度が上記設定切替温度以上となる高温状態である場合に、図３に示すように、三方切替弁１３による湯水ＨＷの供給先が蓄熱装置２１に切り替えられる。すると、湯水循環路３０を循環する比較的高温の湯水ＨＷの一部が、補助加熱用循環路３２及び三方切替弁１３を通じて蓄熱装置２１を通過することになる。すると、上述したように蓄熱装置２１を通過する湯水ＨＷの温度が設定蓄熱温度（例えば５７℃〜６０℃）以上の比較的高温である間には、当該湯水ＨＷの熱が蓄熱装置２１に蓄熱され、一方蓄熱装置２１を通過する湯水ＨＷの温度が上記設定蓄熱温度未満の比較的低温となる間には、当該湯水ＨＷに対して予め蓄熱装置２１に蓄熱された熱が放熱される。このことで、湯水循環路３０の湯水ＨＷの温度低下が抑制されることになって、当該湯水ＨＷの温度をできるだけ所望の目標循環温度近傍に維持することができる。尚、上記切替制御において用いられる設定切替温度は、蓄熱装置２１が有する蓄熱材の相変態温度である設定蓄熱温度よりも低温に設定さあれている。
また、蓄熱装置２１の蓄熱が空となって、当該蓄熱装置２１を通過する湯水ＨＷの温度が設定切替温度未満に低下した場合には、上述したように、図２に示すように、三方切替弁１３による湯水ＨＷの供給先が瞬間湯沸し器２２に切り替えられて、瞬間湯沸し器２２が適時作動されるので、湯水循環路３０での湯水ＨＷの温度低下が抑制されることになる。
【００３６】
〔給湯加熱制御〕
コントローラ１８は、水流センサ１６により給湯栓１１への水流が検出されている間の給湯時において、開閉弁２９を閉弁させて補助加熱用循環路３２を通流した湯水ＨＷが合流路２７を介して主循環路３１側に合流することなく分岐給湯路２４を介して給湯栓１１に給湯される状態とした上で、給湯加熱制御を実行する。
上記給湯加熱制御では、水流センサ１６により給湯栓１１への水流が検出されている間は、図４に示すように、湯水循環路３０での湯水ＨＷの温度に拘らず、三方切替弁１３による湯水ＨＷの供給先が優先的に瞬間湯沸し器２２に切り替えられる。すると、給湯時において給湯栓１１へ供給される湯水ＨＷは必ず瞬間湯沸し器２２を通過したものとなり、当該瞬間湯沸し器２２が適時作動することで、給湯栓１１に対して常に例えば設定給湯温度に加熱した湯水ＨＷが供給されることになる。
【００３７】
〔別実施形態〕
本発明の他の実施形態について説明する。尚、以下に説明する各実施形態の構成は、それぞれ単独で適用することに限らず、他の実施形態の構成と組み合わせて適用することも可能である。
【００３８】
（１）上記実施形態では、給湯先１０での湯水循環路３０を、並列状態で接続された主循環路３１と補助加熱手段２０が設けられた補助加熱用循環路３２とに分割し、当該補助加熱用循環路３２を通流する湯水ＨＷを補助加熱手段２０で加熱するように構成したが、給湯先１０において湯水循環路３０を分割せずに、当該湯水循環路３０を通流する湯水ＨＷの全部を補助加熱手段２０で加熱可能に構成しても構わない。
【００３９】
（２）上記実施形態では、補助加熱手段２０として蓄熱装置２１と瞬間湯沸し器２２とを設けたが、何れか一方のみを設けたり、別の形態の補助加熱手段を設けても構わない。
【符号の説明】
【００４０】
１０      給湯先
１１      給湯栓（給湯部）
１３      三方切替弁（切替部）
１５      温度センサ（湯水温度検出部）
１６      水流センサ（水流検出部）
１８      コントローラ（制御部）
２０      補助加熱手段
２１      蓄熱装置（蓄熱部）
２２      瞬間湯沸し器（瞬間湯沸し部）
２４      分岐給湯路
２４ａ    分岐部
３０      湯水循環路
３１      主循環路
３２      補助加熱用循環路
４０      ボイラ（主熱源部）
４１      貯湯槽
ＨＷ      湯水
【図１】
2020134063.tif 000003
【図２】
2020134063.tif 000004
【図３】
2020134063.tif 000005
【図４】
2020134063.tif 000006